(57)【特許請求の範囲】
【請求項１】
ゴム球の両端部に逆止弁が装着され一方の逆止弁に排気調整弁が連結された加圧ポンプでカフに空気を供給し、コロトコフ音に基づいて血圧を検出する血圧計用加圧ポンプにおいて、筒状を成した逆止弁の吸気側端部を封止すると共に、該吸気側端部の周側面に吸気口を形成し、逆止弁内の空気流通方向に対して吸気口を横向きに形成し、前記逆止弁の排気側端部にメッシュ板を装着したことを特徴とする血圧計用加圧ポンプ。
【請求項２】
前記吸気口は、前記逆止弁の周側面に沿って複数個形成され、これら吸気口の表面を覆うフィルターを装着した請求項１記載の血圧計用加圧ポンプ。
【請求項３】
前記逆止弁は、前記ゴム球の空気流入口に装着される逆止弁、若しくは前記ゴム球の空気流出口に装着される逆止弁とし、又はその両方に装着される逆止弁とする請求項１記載の血圧計用加圧ポンプ。
【発明の詳細な説明】
【技術分野】
【０００１】
本発明は、腕にカフを巻き付け加圧ポンプでカフに空気を供給後、カフの圧力低下時にコロトコフ音を検出する血圧計に使用する血圧計用加圧ポンプに関するものである。
【背景技術】
【０００２】
コロトコフ法による血圧計では、血圧を計測する場合、腕に巻き付けたカフに圧縮空気を供給して加圧し、その後、排気調整弁を調整して圧力を下げながらコロトコフ音の発生、消滅を確認して血圧値を測定する。この種の血圧計として、例えば、特許文献１や特許文献２に記載の血圧計がある。
【０００３】
いずれの血圧計も、ゴム球の端部に開閉自在な吸気弁を備えた加圧ポンプを利用したもので、この加圧ポンプからカフに供給された圧縮空気を排出せしめる排気調整弁がゴム球の他端部に設けられたものである。そして、排気調整弁を調整してカフ帯から微速排気する際の排気圧の降下速度を一定にするように排気調整弁を改良したものである。
【先行技術文献】
【特許文献】
【０００４】
【特許文献１】特公平２−２４５３２号公報
【特許文献２】特開昭５７−１４３２０号公報
【発明の概要】
【発明が解決しようとする課題】
【０００５】
ところが、特許文献１や特許文献２のごとく、ゴム球を利用した加圧ポンプで圧縮空気を供給すると、外気の塵埃が加圧ポンプの中に吸引され、この塵埃が排気調整弁に絡み付いて血圧計の精度や耐久性能を低下させていることが分かった。
【０００６】
特に、細くて長い繊維状の塵埃は、フィルターの目を通り易いので、塵埃を防止するにはこのフィルターの目を細かくする必要がある。ところが、吸気弁のフィルターを細かくすると、手動で行う加圧ポンプの圧縮空気を供給作業に支障が生じるおそれがあった。しかも、繊維状の塵埃が吸引されると、排気調整弁や排気調整弁側の逆止弁に絡み付き易く、正確な測定の妨げになっていた。しかも、往診の際に持ち歩くアネロイド式の血圧計などは、計測する環境に大きく影響されることから、塵埃の多い場所で計測すると耐久性能が急激に低下して使用できなくなるおそれもあった。
【０００７】
これまでの血圧計では、主に排気調整弁等の排気構造に多くの改良があったが、外気を吸引する加圧ポンプの吸気構造について改良されているものは極めて少ない。しかしながら、発明者の研究によると、コロトコフ音が正確に聞えなくなる最も多い原因は、排気調整弁や逆止弁に塵埃が絡み付くことにあった。
【０００８】
そこで本発明は上述の課題を解消すべく創出されたもので、コロトコフ法による血圧計において、塵埃の侵入を防止し、血圧計の精度を維持し、耐久性能を格段に高めることができる血圧計用加圧ポンプの提供を目的とするものである。
【課題を解決するための手段】
【０００９】
本発明の第１の手段は、ゴム球１０の両端部に逆止弁２０が装着され一方の逆止弁２０に排気調整弁３０が連結された加圧ポンプＰでカフＱに空気を供給し、コロトコフ音に基づいて血圧を検出する血圧計用加圧ポンプにおいて、筒状を成した逆止弁２０の吸気側端部を封止すると共に、該吸気側端部の周側面に吸気口２２を形成し、逆止弁２０内の空気流通方向に対して吸気口２２を横向きに形成し、前記弁体２１の空気排出口にメッシュ板２４を装着したことにある。
【００１０】
第２の手段の前記吸気口２２は、前記逆止弁２０の周側面に沿って複数個形成され、これら吸気口２２の表面を覆うフィルター２３を装着した請求項１記載の血圧計用加圧ポンプ。
【００１２】
第３の手段において、前記逆止弁２０は、前記ゴム球１０の空気流入口１１に装着される逆止弁２０、若しくは前記ゴム球１０の空気流出口１２に装着される逆止弁２０とし、又はその両方に装着される逆止弁２０とするものである。
【発明の効果】
【００１３】
本発明の請求項１の如く、逆止弁２０内の空気流通方向に対して吸気口２２を横向きに形成したことにより、特に、細くて長い繊維状の塵埃は、吸気口２２から弁体２１に至る間に侵入を阻止することができる。この結果、排気調整弁３０側への繊維状塵埃の侵入を防止し、血圧計の耐久性能を格段に高めることができる。しかも、弁体２１の空気排出口にメッシュ板２４を装着したことにより、僅かな塵埃が侵入した場合でも、このメッシュ板２４に塵埃が絡み付けることが可能になる。この結果、排気調整弁３０や排気調整弁３０側の逆止弁２０への付着が遅くなり、更に血圧計の耐久性能を高めることができる。
【００１４】
請求項２のごとく、吸気口２２は、逆止弁２０の周側面に沿って複数個形成され、フィルター２３は、逆止弁２０の周側面を被覆するように装着されたことにより、ゴム球１０の吸引力を妨げることなく、塵埃の侵入を防止することができる。
【００１６】
請求項３のごとく、本発明逆止弁は、ゴム球１０に装着されるいずれの逆止弁２０を選択することも可能であり、また、ゴム球１０の両方に装着することで塵埃の侵入防止効果を高めることも可能である。
【図面の簡単な説明】
【００１７】
【図１】本発明加圧ポンプの一実施例を示す要部断面図である。
【図２】本発明の吸気弁の一実施例を示す側面図である。
【図３】本発明の吸気弁の一実施例を示す断面図である。
【図４】本発明加圧ポンプの他の実施例を示す要部断面図である。
【図５】本発明の吸気弁の他の実施例を示す側面図である。
【図６】本発明の吸気弁の他の実施例を示す断面図である。
【図７】本発明を使用した血圧計を示す斜視図である。
【発明を実施するための形態】
【００１８】
本発明によると、排気調整弁への繊維状塵埃の侵入を防止し、血圧計の耐久性能を格段に高めることができるなどといった当初の目的を達成した。
【００１９】
以下、図面を参照して本発明の構成を詳細に説明する。本発明加圧ポンプは、コロトコフ音に基づいて血圧を検出する血圧計に使用する加圧ポンプである（図７参照）。
【００２０】
すなわち、ゴム球１０の両端部に逆止弁２０が装着され一方の逆止弁２０に排気調整弁３０が連結された加圧ポンプＰでカフＱに空気を供給した後、排気調整弁３０を調整して圧力を下げながらコロトコフ音の発生、消滅を確認して血圧値を測定するタイプの血圧計である。そのため、カフＱには、圧力の変化を計測する圧力計Ｒが備えられている（図７参照）。
【００２１】
この逆止弁２０は筒状を成すもので、ゴム球１０の空気流入口１１と、ゴム球１０の空気流出口１２との両端部に装着されている。そして、これら逆止弁２０の吸気側端部を封止すると共に、該吸気側端部の周側面に吸気口２２を形成し、逆止弁２０内の空気流通方向に対して吸気口２２を横向きに形成するものである。
【実施例１】
【００２２】
図１乃至図３に示す逆止弁２０は、ゴム球１０の空気流入口１１に装着される逆止弁２０である。一方、ゴム球１０の空気流出口１２に装着されている逆止弁２０は、従来タイプの逆止弁２０、すなわち、逆止弁２０の空気供給方向に沿って吸気口２２が直線状に設けられたものである。
【００２３】
袋本体１０の空気流入口１１に装着されている逆止弁２０の吸気側端部は封止されており、この封止された吸気側端部は、ゴム球１０から外部に突出した状態になる（図１参照）。更に、突出した吸気側端部の周側面に吸気口２２を形成している（図３参照）。そして、逆止弁２０の空気供給方向に対して吸気口２２を横向きに設けている。吸気口２２の向きをこのように横向きにすることで、特に、細くて長い繊維状の塵埃の侵入防止に好適である。
【００２４】
図示の吸気口２２は、逆止弁２０の周側面に沿って複数個形成している（図３参照）。そして、これら吸気口２２の表面を覆うフィルター２３を装着している（図２参照）。このフィルター２３により、より細かい塵埃の侵入を防止できる。図示例では、逆止弁２０の吸気側端部に係止フランジ２６を形成し、この係止フランジ２６と係止リブ２５との間の凹部にリング状のフィルター２３を外嵌している（図２参照）。
【００２５】
更に、逆止弁２０の側面にはゴム球１０に係止する一対の係止リブ２５を周設し（図２参照）、一方の係止リブ２５をゴム球１０内部に嵌合させ、他方の係止リブ２５をゴム球１０端部に当接させている（図１参照）。
【００２６】
また、逆止弁２０の排気側端部には、球体２１Ｂを備えた弁体２１を形成している（図３参照）。この弁体２１は、カフＱに圧縮空気を送る際に、移動自在な球体２１Ｂが空気導入口２１Ａを閉塞する構造で、ゴム球１０の弾性力にてゴム球１０内部に空気を導入する際に、この球体２１Ｂは、空気導入口２１Ａから空気供給口２１Ｃ側へ移動する（図３参照）。
【００２７】
図示の弁体２１は、空気供給口２１Ｃにメッシュ板２４を装着しており、このメッシュ板２４で球体２１Ｂの落下を阻止している（図３参照）。また、このメッシュ板２４を使用することで、塵埃等をメッシュ板２４に付着させることが可能になる。更に、このメッシュ板２４の代わりに、空気供給口２１Ｃを加締めることで球体２１Ｂの落下を防止しても良い（図示せず）。
【実施例２】
【００２８】
図４乃至図６に示す加圧ポンプＰは、ゴム球１０の空気流出口１２に装着される逆止弁２０である。一方、空気流入口１１に装着されている逆止弁２０は、従来タイプの逆止弁２０、すなわち、逆止弁２０の空気供給方向に沿って吸気口２２が直線状に設けられたものである。そして、空気流出口１２に装着された逆止弁２０には排気調整弁３０が設けられている（図４参照）。この排気調整弁３０は、逆止弁２０の排気側端部に連続形成されるもので、カフＱから排出される圧縮空気を調整しながら排出するための弁である（図６参照）。
【００２９】
図示の逆止弁２０は、封止された吸気側端部がゴム球１０の内部に収納された状態になっている（図４参照）。更に、この吸気側端部の周側面に吸気口２２を形成している（図６参照）。この逆止弁２０は、ゴム球１０に吸引された空気を吸気口２２から弁体２１方向に送るものである。更に、逆止弁２０の空気供給方向に対して吸気口２２を横向きに設けている。図示の吸気口２２は、逆止弁２０の周側面に沿って複数個形成している（図６参照）。そして、これら吸気口２２の表面を覆うフィルター２３を装着している（図５参照）。
【００３０】
図示の弁体２１は、弾性材にて形成された長い略筒状をなし、側面に開閉自在なスリット２１Ｄが形成されている。そして、カフＱに圧縮空気を送る際に、このスリット２１Ｄが開口し、カフＱから排気調整弁３０に空気が送られる際に、スリット２１Ｄが閉じる構造である（図６参照）。
【００３１】
図示の弁体２１には、空気供給口２１Ｃ側にメッシュ板２４を装着していないが、メッシュ板２４を装着することも可能である。
【００３２】
尚、実施例１では、本発明逆止弁をゴム球１０の空気流入口１１に装着した逆止弁２０とし、実施例２では、本発明逆止弁をゴム球１０の空気流出口１２に装着した逆止弁２０としているが、両方の逆止弁２０を本発明逆止弁とすることも可能である。また、本発明は図示例に限定されるものではなく、加圧ポンプＰの構成や、ゴム球１０、逆止弁２０、排気調整弁３０等の形状は、従来周知の構成を任意に利用できるものである。
【符号の説明】
【００３３】
Ｐ  加圧ポンプ
Ｑ  カフ
Ｒ  圧力計
１０  ゴム球
１１  空気流入口
１２  空気流出口
２０  吸気弁
２１  弁体
２１Ａ  空気導入口
２１Ｂ  球体
２１Ｃ  空気供給口
２１Ｄ  スリット
２２  吸気口
２３  フィルター
２４  メッシュ板
２５  係止リブ
２６  係止フランジ
３０  排気調整弁
【図１】
0006018422.tif 000002
【図２】
0006018422.tif 000003
【図３】
0006018422.tif 000004
【図４】
0006018422.tif 000005
【図５】
0006018422.tif 000006
【図６】
0006018422.tif 000007
【図７】
0006018422.tif 000008